(57)【要約】【課題】筐体に外力が加わった場合に、表示パネルの表示不良が発生するのを抑える。【解決手段】表示パネル２０は、筐体１１の内部に配設された保持枠５０に保持される。保持枠５０の底面板５１の右端部に固定部５３が設けられ、左端部に変形許容部５４が設けられる。固定部５３は、締結ネジ２８によって筐体１１の背面カバー１２に締結される。変形許容部５４は、底面板５１から左方に突出し且つ基端側にスリット５５が設けられることで板バネ状に形成され、厚み方向への弾性変形を許容しつつ、締結ネジ２８によって背面カバー１２に締結される。【選択図】図３
2018169446.tif 000002
【特許請求の範囲】
【請求項１】
筐体と、該筐体の内部に配設された金属製で矩形状の保持枠と、該保持枠に保持された表示パネルとを備えた電子機器であって、
前記保持枠の四辺のうち少なくとも１つの辺部には、締結部材によって前記筐体の内部に固定され且つ該保持枠の厚み方向への弾性変形を許容する変形許容部が設けられていることを特徴とする電子機器。
【請求項２】
請求項１において、
前記保持枠の四辺のうち前記変形許容部が設けられている辺部に対向する辺部には、締結部材によって前記筐体の内部に固定される固定部が設けられていることを特徴とする電子機器。
【請求項３】
請求項１又は２において、
前記変形許容部は、前記保持枠の辺部から外方に突出し且つ基端側にスリットが設けられることで板バネ状に形成されていることを特徴とする電子機器。
【請求項４】
請求項２において、
前記固定部は、前記保持枠の辺部の略中央位置で前記締結部材によって締結され、
前記変形許容部は、前記保持枠の辺部に間隔をあけて２つ設けられて前記締結部材によってそれぞれ締結されていることを特徴とする電子機器。
【発明の詳細な説明】
【技術分野】
【０００１】
本発明は、電子機器に関するものである。
【背景技術】
【０００２】
従来より、液晶表示パネルを備えたデジタルカメラでは、液晶表示パネルに圧力が作用して歪みが生じると、モアレ等の表示不良が発生することが知られている。
【０００３】
そこで、特許文献１では、ゴムブッシュ等の緩衝部材によって、液晶表示パネルをカメラ本体部に対してフローティング支持することで、液晶表示パネルが固定される側のフレームの歪みを吸収できるようにしている。
【０００４】
しかしながら、特許文献１の発明のように、ゴムブッシュで液晶表示パネルをフローティング支持するようにした構成では、液晶表示パネルをカメラ本体部に組み付ける際の位置決め精度が悪くなるおそれがある。
【０００５】
そこで、特許文献２では、表示ユニット側に、係合片と、位置決め穴が形成された延設片とを設ける一方、シャーシ側に、係合穴と、位置決め凸部とを設けた構成としている。そして、表示ユニットをシャーシに組み付ける際、係合片と係合穴との係合により、表示ユニットがシャーシから浮き上がるのを防止するとともに、位置決め凸部と位置決め穴との係合により、表示ユニットに平行な平面方向における位置決めを行うようにしている。
【先行技術文献】
【特許文献】
【０００６】
【特許文献１】特開２００２−３６５６１３号公報
【特許文献２】特開２０１２−１８９９５３号公報
【発明の概要】
【発明が解決しようとする課題】
【０００７】
ところで、特許文献２の発明では、表示ユニットにストレスが加わることを回避するために、係合片は、カメラの前後方向及び上下方向において係合穴にクリアランスを持って保持されている。そのため、表示ユニットに対して小さな振動が加わっただけで、表示ユニットがガタついて表示面がブレてしまったり、異音が発生するという問題がある。
【０００８】
本発明は、かかる点に鑑みてなされたものであり、その目的は、筐体に外力が加わった場合に、表示パネルの表示不良が発生するのを抑えることにある。
【課題を解決するための手段】
【０００９】
本発明は、筐体と、該筐体の内部に配設された金属製で矩形状の保持枠と、該保持枠に保持された表示パネルとを備えた電子機器を対象とし、次のような解決手段を講じた。
【００１０】
すなわち、第１の発明は、前記保持枠の四辺のうち少なくとも１つの辺部には、締結部材によって前記筐体の内部に固定され且つ該保持枠の厚み方向への弾性変形を許容する変形許容部が設けられていることを特徴とするものである。
【００１１】
第１の発明では、保持枠の四辺のうち少なくとも１つの辺部に変形許容部が設けられる。変形許容部は、保持枠の厚み方向への弾性変形を許容しつつ、締結部材によって筐体内部に締結される。
【００１２】
このような構成とすれば、表示パネルを保持枠で保持することで、筐体内部における表示パネルのガタつきを抑えることができる。また、筐体に外力が加わって筐体が歪んだ場合でも、筐体の歪みに伴って変形許容部が弾性変形することで、表示パネルに負荷がかかるのを抑えることができる。これにより、表示パネルにモアレ等の表示不良が発生するのを抑えることができる。
【００１３】
第２の発明は、第１の発明において、
前記保持枠の四辺のうち前記変形許容部が設けられている辺部に対向する辺部には、締結部材によって前記筐体の内部に固定される固定部が設けられていることを特徴とするものである。
【００１４】
第２の発明では、保持枠の四辺のうち変形許容部が設けられている辺部に対向する辺部に固定部が設けられる。固定部は、締結部材によって筐体内部に締結される。
【００１５】
このような構成とすれば、筐体の歪みに伴って変形許容部が弾性変形したときでも、固定部は筐体とともに移動することとなるので、例えば、保持枠の四辺全てに変形許容部を設けてそれらが弾性変形する場合に比べて、筐体内部の回路基板と保持枠とのクリアランスをコントロールし易くなる。
【００１６】
第３の発明は、第１又は第２の発明において、
前記変形許容部は、前記保持枠の辺部から外方に突出し且つ基端側にスリットが設けられることで板バネ状に形成されていることを特徴とするものである。
【００１７】
第３の発明では、保持枠にスリットを設けることで板バネ状の変形許容部を構成している。これにより、筐体に外力が加わって筐体が歪んだ場合に、変形許容部が弾性変形することで、表示パネルに負荷がかかるのを抑えることができる。そして、保持枠にスリットを設けるだけという比較的簡単な構成で、変形許容部を設けることができ、製品コストを低減することができる。
【００１８】
第４の発明は、第２の発明において、
前記固定部は、前記保持枠の辺部の略中央位置で前記締結部材によって締結され、
前記変形許容部は、前記保持枠の辺部に間隔をあけて２つ設けられて前記締結部材によってそれぞれ締結されていることを特徴とするものである。
【００１９】
第４の発明では、保持枠の締結箇所を、固定部側の１箇所と、変形許容部側の２箇所とに設定することで、保持枠の四隅を締結部材によって締結する場合に比べて、締結箇所を少なくしている。これにより、筐体に外力が加わって筐体が歪んだ場合に、筐体の歪みに伴って保持枠がねじられて表示パネルに負荷がかかるのを抑えることができる。
【発明の効果】
【００２０】
本発明によれば、筐体に外力が加わって筐体が歪んだ場合でも、筐体の歪みに伴って変形許容部が弾性変形することで、表示パネルに負荷がかかるのを抑えることができる。
【図面の簡単な説明】
【００２１】
【図１】本実施形態に係る電子機器の構成を示す背面図である。
【図２】電子機器の内部構成を示す分解斜視図である。
【図３】保持枠の構成を示す正面図である。
【図４】保持枠の構成を示す平面断面図である。
【図５】保持枠の変形許容部周辺の構成を示す平面断面図である。
【図６】筐体が歪んだときの保持枠の変形許容部周辺の構成を示す平面断面図である。
【発明を実施するための形態】
【００２２】
以下、本発明の実施形態を図面に基づいて説明する。なお、以下の好ましい実施形態の説明は、本質的に例示に過ぎず、本発明、その適用物或いはその用途を制限することを意図するものではない。
【００２３】
図１に示すように、電子機器１０は、デジタルカメラとして構成されている。電子機器１０は、樹脂材料で形成された筐体１１と、筐体１１の背面側に設けられた表示パネル２０と、表示パネル２０に並んで配置された複数の操作ボタン１５と、図示しないレンズが筐体１１の正面側に露出するように筐体１１内部に配設された光学鏡筒ユニット４０とを有する。
【００２４】
本実施形態では、電子機器１０の厚み方向を前後方向とする。また、背面側から見て、表示パネル２０が配置されている側を左側、操作ボタン１５が配置されている側を右側とする。
【００２５】
筐体１１は、表示パネル２０及び操作ボタン１５が設けられた背面側の背面カバー１２と、レンズが設けられた正面側の正面カバー１３とを組み合わせることで構成され、背面カバー１２と正面カバー１３との四隅を締結ネジ１８によって締結することで、左右方向に長い直方体形状に形成されている。
【００２６】
背面カバー１２における正面カバー１３との合わせ面には、全周に亘って延びる係合凹溝１２ａが形成されている（図３参照）。正面カバー１３には、係合凹溝１２ａに対応して全周に亘って延びる係合凸部（図示省略）が設けられており、正面カバー１３の係合凸部と背面カバー１２の係合凹溝１２ａとを係合させることで、筐体１１の密閉性を高めることができる。
【００２７】
表示パネル２０は、例えば、液晶パネルであり、撮影時にレンズで写した被写体像を表示したり、撮影後にＳＤカード等の記録媒体に記録された画像データを表示するためのものである。表示パネル２０の表面は、表示パネル２０よりも背面側に配設された保護ガラス１６によって覆われている。
【００２８】
操作ボタン１５は、背面カバー１２の右側寄りの位置に複数配置されている。操作ボタン１５は、撮影時には、ストロボ発光モード、ＡＦモード、静止画モード、動画モード等の切り替えに使用される。また、画像再生時には、表示パネル２０に表示する画像データの切り替え、画像データの削除、メニュー画面の操作等に使用される。
【００２９】
背面カバー１２の内部における操作ボタン１５に対応する位置には、操作ボタン１５を背面側から覆うボタンカバー１７が設けられている（図３参照）。ボタンカバー１７は、図示しない締結ネジによって背面カバー１２に固定されている。
【００３０】
光学鏡筒ユニット４０は、レンズ、絞り機能を有するシャッタ、撮影された光学像を電気信号に変換する撮像センサ等を備えている（図示省略）。光学鏡筒ユニット４０は、筐体１１内部においてその前後方向が弾性支持部材（図示省略）によってフローティング支持されており、電子機器１０を落下させたときの衝撃を緩和できるようになっている。
【００３１】
図２に示すように、筐体１１の内部には、回路基板３０が配設されている。回路基板３０の四隅には、取付孔３０ａが形成されている。回路基板３０は、背面側から取付孔３０ａに対して締結ネジ（図示省略）を差し込み、筐体１１の正面カバー１３に締結することで、正面カバー１３に固定されている。
【００３２】
回路基板３０には、複数の電子部品３１が実装されている。複数の電子部品３１のうち、回路基板３０の略中央位置に実装された電子部品３１は、電子機器１０の動作を制御するＡＳＩＣ（Application Specific Integrated Circuit：特定用途向け集積回路）である。
【００３３】
回路基板３０における電子部品３１が実装された側の面には、絶縁性を有する絶縁シート３２が重ね合わされている。絶縁シート３２は、電子部品３１を覆うことで、表示パネル２０の右端部から配索されたフレキシブルプリント配線板２１や図示しないその他の導電部材が、電子部品３１に対して電気的に接触しないようにしている。絶縁シート３２は、透明な材料で形成されており、電子部品３１の位置を視認できるようになっている。
【００３４】
絶縁シート３２における電子部品３１に対応する位置には、電子部品３１で生じた熱を絶縁シート３２を介して放熱させる放熱部材３５が配設されている。放熱部材３５は、絶縁シート３２に接着された接着部３６と、接着部３６に対してヒンジ状に一体形成されて電子部品３１に熱的に接触する放熱部３７とを有する。
【００３５】
放熱部材３５の接着部３６及び放熱部３７は、１枚のシート状の部材、例えば、銅箔で形成されている。なお、放熱部材３５は、熱伝導率の高い部材であればよいので、例えば、アルミ箔やカーボンシート等で形成されていてもよい。
【００３６】
接着部３６は、絶縁シート３２側から見て電子部品３１に重なり合わない位置に配設され、絶縁シート３２に接着されている。
【００３７】
放熱部３７は、接着部３６から電子部品３１側に向かって延びてその一部が重なり合うように折り返された形状とされている。放熱部３７の折り返し部分には、弾性変形可能な弾性部材３９が挟み込まれている。弾性部材３９は、例えば、板状のスポンジ材で形成されており、弾性部材３９の表面に沿って放熱部３７が貼り付けられている。なお、弾性部材３９をゴム材で形成してもよい。
【００３８】
回路基板３０における電子部品３１が実装された面に対向して、表示パネル２０を嵌め込んで保持する保持枠５０が配設されている。保持枠５０は、締結ネジ２８（図３参照）によって、筐体１１の背面カバー１２の内部に固定されている。なお、保持枠５０の詳細については後述する。
【００３９】
保持枠５０と放熱部材３５との間には、銅箔で形成されて保持枠５０に貼り付けられた伝熱シート３３が挟み込まれている。放熱部材３５は、保持枠５０によって電子部品３１側に押圧された状態となっている。ここで、放熱部材３５の放熱部３７には、弾性部材３９が挟み込まれているから、弾性部材３９の弾性力によって放熱部材３５を電子部品３１に対して押し付けて密着させることができる。これにより、電子部品３１で生じた熱は、絶縁シート３２を介して、放熱部材３５の放熱部３７、伝熱シート３３、及び保持枠５０を伝わって熱拡散されやすくなっている。
【００４０】
背面カバー１２の正面側には、保持枠５０に保持された表示パネル２０を収納するための表示パネル側凹部２５が形成されている（図４参照）。背面カバー１２の背面側には、保護ガラス１６を嵌め込むための保護ガラス側凹部２６が形成されている。表示パネル側凹部２５と保護ガラス側凹部２６とは、保護ガラス１６の外径よりも一回り小さな内径で開口した略矩形状の連通孔２７によって連通している。
【００４１】
背面カバー１２における連通孔２７の内周縁部と、表示パネル２０の外周縁部との間には、シール部材２２が挟み込まれている。シール部材２２は、表示パネル２０の表示面の外周縁部に沿って延びる枠状のゴム材で形成されている。
【００４２】
ところで、本実施形態に係る電子機器１０を用いて、水中の映像を撮影する場合には、水圧によって筐体１１の背面カバー１２が押圧され、背面カバー１２の左右方向の略中央部が撓むように変形することがある。
【００４３】
保持枠５０は、筐体１１の背面カバー１２に締結固定されているので、背面カバー１２が撓むことで、背面カバー１２とともに保持枠５０が筐体１１の内部に向かって移動する。その結果、保持枠５０とともに表示パネル２０が歪んでしまい、表示パネル２０にモアレ等の表示不良が発生するおそれがある。
【００４４】
そこで、本実施形態では、保持枠５０の形状を工夫することで、筐体１１に外力が加わった場合でも、表示パネル２０の表示不良が発生するのを抑えるようにしている。
【００４５】
具体的に、図２〜図４に示すように、保持枠５０は、１枚の矩形状の金属板を折り曲げることで形成され、表示パネル２０を受け止めて保持する底面板５１と、底面板５１の外周縁から表示パネル２０側に立設して表示パネル２０の上下左右方向の移動を規制する複数の外周壁５２とを有する。
【００４６】
保持枠５０の四辺のうち１つの辺部には、変形許容部５４が設けられている。また、保持枠５０の四辺のうち変形許容部５４が設けられている辺部に対向する辺部には、固定部５３が設けられている。
【００４７】
具体的に、底面板５１には、表示パネル２０の右端部よりも右方に突出する固定部５３と、表示パネル２０の左端部よりも左方に突出する変形許容部５４とが一体形成されている。
【００４８】
固定部５３における上下方向の略中央位置には、取付孔５３ａが形成されている。固定部５３は、正面側から取付孔５３ａに対して締結ネジ２８を差し込み、筐体１１の背面カバー１２に締結することで、背面カバー１２の内部に固定されている。
【００４９】
固定部５３は、ボタンカバー１７よりも正面側に配設されてボタンカバー１７に重なり合っており、変形許容部５４を背面カバー１２に締結する締結ネジ２８により、ボタンカバー１７が共締めされている。
【００５０】
変形許容部５４は、上下方向に間隔をあけて２つ設けられている。底面板５１における変形許容部５４の基端側には、スリット５５が形成されている。スリット５５は、底面板５１が、変形許容部５４の上縁及び下縁に沿って外周壁５２よりも内側の位置まで切り込まれることで形成されている。これにより、変形許容部５４は、スリット５５が設けられることで板バネ状に形成され、厚み方向に弾性変形可能となっている。
【００５１】
変形許容部５４には、取付孔５４ａが形成されている。変形許容部５４は、正面側から取付孔５４ａに対して締結ネジ２８を差し込み、筐体１１の背面カバー１２に締結することで、背面カバー１２の内部に固定されている。
【００５２】
上下２つの変形許容部５４のうち、上側の変形許容部５４には、取付孔５４ａに並んで位置決め孔５４ｂが形成されている。位置決め孔５４ｂには、背面カバー１２に設けられた位置決めピン５８が嵌め込まれている。
【００５３】
また、底面板５１の右上隅部には、上方に突出する位置決め片５７が設けられている。位置決め片５７には、左右方向に延びる長孔状の位置決め孔５７ａが形成されている。位置決め孔５７ａには、背面カバー１２に設けられた位置決めピン５８が嵌め込まれている。
【００５４】
このように、変形許容部５４の位置決め孔５４ｂに嵌め込まれた位置決めピン５８と、位置決め片５７の位置決め孔５７ａに嵌め込まれた位置決めピン５８とによって、背面カバー１２に対して保持枠５０が位置決めされる。
【００５５】
底面板５１には、固定部５３と底面板５１との境界位置に、上下方向に延びる略矩形状の配線孔５１ａが形成されている。配線孔５１ａには、表示パネル２０の右端部から配索されたフレキシブルプリント配線板２１が挿通されている。フレキシブルプリント配線板２１は、回路基板３０の図示しないコネクタに接続される。
【００５６】
外周壁５２は、表示パネル２０の外周縁に沿って間隔をあけて複数立設しており、表示パネル２０の外周部に当接することで、上下左右方向への移動を規制している。ここで、下側の外周壁５２には、その一部が表示パネル２０側に向かって折り曲げられて形成された付勢板５６が設けられている。
【００５７】
付勢板５６は、厚み方向に弾性変形可能に形成されており、表示パネル２０を保持枠５０に嵌め込んだときに、表示パネル２０によって下方に押圧される。その結果、付勢板５６には、表示パネル２０を上方に付勢する付勢力が生じ、保持枠５０の上側の外周壁５２と付勢板５６との間で、表示パネル２０が挟み込まれることとなる。
【００５８】
以下、筐体１１に外力が加わって筐体１１が歪んだ場合の保持枠５０の形状変化について説明する。
【００５９】
図５に示すように、筐体１１の背面カバー１２に外力が加わっていない状態では、保持枠５０の変形許容部５４が変形することなく、底面板５１と変形許容部５４とが同一平面上に位置している。
【００６０】
そして、図６に示すように、筐体１１の背面カバー１２に対して、外力（図６に白矢印で示す）が加わった場合には、筐体１１の背面カバー１２が押圧されることで、背面カバー１２の左右方向の略中央位置が前方に撓むように変形する。
【００６１】
このとき、保持枠５０の底面板５１、外周壁５２、及び固定部５３は、背面カバー１２とともに前方に移動する一方、変形許容部５４は、厚み方向に撓むように弾性変形する。
【００６２】
このように、筐体１１の歪みに伴って変形許容部５４のみが弾性変形することで、筐体１１に外力が加わる前後において、底面板５１や外周壁５２には歪みが生じないようになっている。そのため、底面板５１や外周壁５２に保持されている表示パネル２０に対して負荷がかかることはなく、表示パネル２０にモアレ等の表示不良が発生するのを抑えることができる。
【００６３】
《その他の実施形態》
前記実施形態については、以下のような構成としてもよい。
【００６４】
本実施形態では、変形許容部５４は、底面板５１の左端部から左方に突出し且つ基端側にスリット５５が設けられることで板バネ状に形成された構成としたが、この形態に限定するものではない。
【００６５】
例えば、変形許容部５４を、底面板５１の左端部から左方に突出した突出片で形成し、突出片の基端部の幅を、突出片の先端部の幅よりも細くした形状とすることで、この細くなった部分を板バネとして弾性変形可能な構成としてもよい。
【００６６】
また、変形許容部５４を、底面板５１の左端部から左方に突出した突出片で形成し、突出片が基端部から先端部にかけて延びる途中で、その一部を厚み方向に湾曲状に屈曲させた形状とすることで、この湾曲部分を板バネとして弾性変形可能な構成としてもよい。
【産業上の利用可能性】
【００６７】
以上説明したように、本発明は、筐体に外力が加わった場合に、表示パネルの表示不良が発生するのを抑えることができるという実用性の高い効果が得られることから、きわめて有用で産業上の利用可能性は高い。
【符号の説明】
【００６８】
１０    電子機器
１１    筐体
２０    表示パネル
２８    締結ネジ（締結部材）
５０    保持枠
５３    固定部
５４    変形許容部
５５    スリット
【図１】
2018169446.tif 000003
【図２】
2018169446.tif 000004
【図３】
2018169446.tif 000005
【図４】
2018169446.tif 000006
【図５】
2018169446.tif 000007
【図６】
2018169446.tif 000008